(57)【要約】【課題】本考案は、カセットボンベを装着するガス供給部を備え、前面板と背面板の間の中央部にバーナーが延伸されて設けられたコンロ本体の前面板又は背面板とバーナーとの間の空間に交換用のカセットボンベを収納して持ち運んだ際、カセットボンベの収納を忘れて点火しすることによってカセットボンベが爆発する危険を皆無としたコンロを提供するものである。【解決方法】前記コンロ本体内の前面板又は背面板とバーナーとの間の空間に交換用のカセットボンベの収納を妨げる安全ガードを設けてなるコンロによる。【選択図】図１
0003179260.tif 000002
【実用新案登録請求の範囲】
【請求項１】
左右いずれか一方の側面にカセットボンベを装着するガス供給部（１０）を備え、他の三方（前面、背面ともう一方の側面）は、燃焼に必要な空気の流入孔が複数設けられた金属製の側板で構成され、内部にガス供給部（１０）からのガスを燃焼させるバーナー（３）が前面と背面との間の中央部に延伸させて設けられ、かつ前記バーナー（３）の火口に近接して圧電点火機構の点火プラグ（２）が備えられたコンロ本体（１）と、前記コンロ本体（１）の上に載置して肉や魚介類等の食材を調理するグリルを備えたコンロにおいて、
コンロ本体（１）内の前記空間に交換用カセットボンベが収納できないようにする安全ガードを備えてなり、前記コンロ本体（１）内の前面又は背面の側板と前記バーナー（３）間の空間に交換用のカセットボンベを収納して持ち運び、前記交換用カセットボンベの収納を失念した状態でバーナーに点火するなどして、前記交換用カセットボンベが爆発する危険を抑止するようにしたことを特徴とするコンロ。
【請求項２】
前記コンロ本体（１）の側板が、燃焼に必要な空気の流入孔が複数設けられた金属製の外側板に、これも空気流入孔が複数設けられた金属製の内側板が着脱可能に取り付けられて構成され、前記安全ガードが前面及び背面の内側板に固定され、前記内側板の取外し用取っ手として兼用されるものであることを特徴とする請求項１に記載のコンロ。
【請求項３】
前記安全ガードが、前面及び背面の側板又は内側板から内側にそれぞれ突設された１又は複数個の⊃状の金属製棒状体（４）であることを特徴とする請求項１又は２に記載のコンロ。
【請求項４】
前記安全ガードが、コンロ本体（１）の前面と背面との間の中央部に延伸されて設けられたバーナー（３）の前後に、該バーナー（３）に沿ってガス供給部（１０）の隔離板（１３）と該隔離板（１３）に相対するコンロ本体（１）の側板との間に架設された金属棒（５）であることを特徴とする請求項１に記載のコンロ。
【請求項５】
前記安全ガードが、前記空間を覆う金属網であることを特徴とする請求項１に記載のコンロ。
【考案の詳細な説明】
【技術分野】
【０００１】
左右いずれか一方の側面にカセットボンベを装着するガス供給部を備え、内部にガス供給部からのガスを燃焼させるバーナーを前面と背面との間の中央部に延伸させて設けられ、かつ前記バーナーの火口に近接して圧電点火機構の点火プラグが備えられたコンロ本体と、前記コンロ本体の上に載置して肉や魚介類等の食材を調理するグリルを備えたコンロにおいて、前記コンロ本体内に交換用のカセットボンベを収納して持ち運べないようにして前記カセットボンベの爆発事故を抑止してなるコンロに関する。
【背景技術】
【０００２】
燃焼室内にガス供給部からのガスを燃焼させるバーナーを前面と背面との間の中央部に延伸させて設けられたコンロにおいては、前記コンロ本体の前面板又は背面板と前記バーナーとの間にカセットボンベを収納できる程度の空間が存在すること、そして、前記コンロ本体上にグリルを載置することから、当該コンロを持ち運ぶ際、前記空間を交換用カセットボンベの収納場所として利用されることが考えられる。この場合前記空間にカセットボンベを収納したことを失念し、またグリルを取り外してコンロ本体内を確認することなく前記バーナーに点火することがあると、前記空間に収容された交換用カセットボンベが爆発して重大な事故となるおそれがある。
【考案の概要】
【考案が解決しようとする課題】
【０００３】
本考案は上記背景技術に鑑みてなされたもので、前記コンロ本体内の前記空間に交換用カセットボンベを収納できないようにして、カセットボンベの爆発事故を皆無としたコンロを提供するものである。
【課題を解決するための手段】
【０００４】
本考案者は上記課題を下記の手段により解決した。
（１）左右いずれか一方の側面にカセットボンベを装着するガス供給部を備え、他の三方（前面、背面ともう一方の側面）は燃焼に必要な空気の流入孔が複数設けられた金属製の側板で構成され、内部にガス供給部からのガスを燃焼させるバーナーが前面と背面との間の中央部に延伸させて設けられ、かつ前記バーナーの火口に近接して圧電点火機構の点火プラグが備えられたコンロ本体と、前記コンロ本体の上に載置して肉や魚介類等の食材を調理するグリルを備えたコンロにおいて、
コンロ本体内の前記空間に交換用カセットボンベが収納できないようにする安全ガードを備えてなり、前記コンロ本体内の前面板又は背面板と前記バーナー間の空間に交換用のカセットボンベを収納して持ち運び、前記交換用カセットボンベの収納を失念した状態でバーナーに点火するなどして、前記交換用カセットボンベが爆発する危険を抑止するようにしたことを特徴とするコンロ。
【０００５】
（２）前記コンロの側板が、燃焼に必要な空気の流入孔が複数設けられた金属製の外側板に、これも空気流入孔が複数設けられた金属製の内側板が着脱可能に取り付けられて構成され、前記安全ガードが前面及び背面の内側板に固定され、前記内側板の取外し用取っ手として兼用されるものであることを特徴とする前項（１）に記載のコンロ。
（３）前記安全ガードが、前面及び背面の側板又は内側板から内側にそれぞれ突設された１又は複数個の⊃状の金属製棒状体であることを特徴とする前項（１）又は（２）に記載のコンロ。
（４）前記安全ガードが、コンロ本体の前面と背面との間の中央部に延伸させて設けられたバーナーの前後に、該バーナーに沿ってガス供給部の隔離板と該ガス供給部の隔離板と相対するコンロ本体の側板との間に架設された金属棒であることを特徴とする前項（１）に記載のコンロ。
（５）前記安全ガードが、前記空間を覆う金属網体であることを特徴とする前項（１）に記載のコンロ。
【考案の効果】
【０００６】
本考案のコンロにより、下記の効果が発揮できる。
〈１〉左右いずれか一方の側面にカセットボンベを装着するガス供給部を備え、他の三方（前面、背面ともう一方の側面）は燃焼に必要な空気の流入孔が複数設けられた金属製の外側板に、これも空気流入孔が複数設けられた金属製の内側板が着脱可能に取り付けられて構成され、内部にガス供給部からのガスを燃焼させるバーナーが前面と背面との間の中央部に延伸させて設けられ、かつ前記バーナーの火口に近接して圧電点火機構の点火プラグが備えられたコンロ本体と、前記コンロ本体の上に載置して肉や魚介類等の食材を調理するグリルを備えたコンロにおいて、
コンロ本体内の前記空間に交換用カセットボンベが収納できないようにする安全ガードを備えているので、前記コンロ本体内の前面板又は背面板と前記バーナー間の空間に交換用のカセットボンベを収納して持ち運ぶことができず、したがって、前記交換用カセットボンベの収納を失念したままでバーナーに点火して交換用カセットボンベが爆発するといった危険を皆無にすることができる。
【０００７】
〈２〉前記コンロの側板が、燃焼に必要な空気の流入孔が複数設けられた金属製の外側板に、これも空気流入孔が複数設けられた金属製の内側板が着脱可能に取り付けられて構成され、前記安全ガードが前面及び背面の内側板に固定され、前記内側板の取外し用取っ手として使用できるので、コンロ外側面と内側面間の空間の清掃が手軽にでき、前記空間に蓄積した埃がバーナー燃焼によって焦げ付くのを防止できる。
〈３〉前記安全ガードが、コンロの前面及び背面の側板又は内側板から内側にそれぞれ突設された１又は複数個の⊃状の金属製棒状体であるので、前記バーナーと前面又は背面の側板間の空間にカセットボンベを収納しようとしても、前記カセットボンベの側面がこの⊃状の安全ガードに当接して傾斜した状態となり、又は複数の⊃状の安全ガードに跨って載置され、上部がコンロ本体からはみ出すので、コンロ本体上にグリルを載置できない状態となるため、コンロの持ち運び時におけるコンロ本体内へのカセットボンベの収納が不可能となり、また万一コンロ本体内に前記カセットボンベが落下した場合にもカセットボンベの一部がコンロ本体からはみ出しているので除去が容易で迅速に対応でき、コンロ本体内でのカセットボンベの爆発事故を皆無とすることができる。
【０００８】
〈４〉前記安全ガードが、コンロ本体の前面と背面との間の中央部に延伸させて設けられたバーナーの前後に、該バーナーに沿ってガス供給部の隔離板と該ガス供給部の隔離板と相対するコンロ本体の側板との間に架設された金属棒であるので、前記バーナーと前面又は背面の内側板間の空間にカセットボンベを収納しようとしても、前記カセットボンベがこの金属棒の安全ガードに邪魔されて前記コンロ本体の底面まで届かずその一部がコンロ本体からはみ出して、コンロ本体上にグリルを載置することができない状態となるため、コンロの持ち運び時における交換用カセットボンベのコンロ本体内への収納が不可能となり、また万一コンロ本体内に前記カセットボンベが落下した場合にもカセットボンベがコンロ本体からはみ出しているので除去が容易で迅速に対応でき、コンロ本体内でのカセットボンベの爆発事故を皆無とすることができる。
【０００９】
〈５〉前記安全ガードが、前記空間を覆う金属網であるので、前記バーナーと前面又は背面の内側板間の空間にカセットボンベを収納しようとしても、前記カセットボンベがこの金属網に邪魔されて前記コンロ本体の底面まで届かずその一部がコンロ本体からはみ出して、コンロ本体上にグリルを載置することができない状態となるため、コンロの持ち運び時における交換用カセットボンベのコンロ本体内への収納が不可能となり、また万一コンロ本体内に前記カセットボンベが落下した場合にもカセットボンベがコンロ本体からはみ出しているので除去が容易で迅速に対応でき、コンロ本体内でのカセットボンベの爆発事故を皆無とすることができる。
【００１０】
〈６〉前記安全ガードが、いずれも簡便な構造であり、コンロ本体に容易かつ廉価に取り付けられる。
【図面の簡単な説明】
【００１１】
【図１】本考案の⊃状の安全ガードを１対備えたコンロの実施例の斜視図
【図２】本考案の⊃状の安全ガードを複数対備えたコンロの実施例の斜視図
【図３】本考案の金属棒の安全ガードを備えたコンロの実施例の斜視図
【考案を実施するための形態】
【００１２】
本考案のコンロを実施するための形態を、実施例の図に基づいて説明する。
図１は本考案の⊃状の安全ガードを１対備えたコンロの実施例の斜視図、図２は本考案の⊃状の安全ガードを複数対備えたコンロの実施例の斜視図、図３は本考案の金属棒の安全ガードを備えたコンロの実施例の斜視図である。
図において１はコンロ本体、２は点火プラグ、３はバーナー、４は⊃状の安全ガード、５は金属棒の安全ガード、１０はガス供給部、１１はガス点火・供給量調節つまみ、１２は安全レバー、１３は隔離板を示す。
【実施例１】
【００１３】
本考案におけるコンロの第１の実施例は、図１に示すように、左右いずれか一方の側面にカセットボンベを装着するガス供給部１０を備え、他の三方（前面、背面ともう一方の側面）は燃焼に必要な空気の流入孔が複数設けられた金属製の外側板に、これも空気流入孔が複数設けられた金属製の内側板が着脱可能に取り付けられて構成され、内部にガス供給部１０からのガスを燃焼させるバーナー３が前面と背面との間の中央部に延伸させて設けられ、かつ前記バーナー３の火口に近接して圧電点火機構の点火プラグ２が備えられたコンロ本体１と、前記コンロ本体１の上に載置して肉や魚介類等の食材を調理するグリルを備えたコンロにおいて、
前記コンロ本体１内の前面及び背面の内側板から内側に⊃状の金属製棒状体からなる安全ガード４をそれぞれ１個突設して、前面の側板又は背面の内側板とバーナー３との間の空間に、交換用カセットボンベを収納不可能にしてなるものである。
本実施例１のコンロにおいて、前面又は背面の内側板とバーナー３との間の空間に交換用のカセットボンベを収納して持ち運ぼうとしても、前記カセットボンベの側面が前記⊃状の安全ガード４に当接して傾斜し、下部はコンロ本体１内に納まるが上部はコンロ本体１からはみ出すので、コンロ本体１の上にグリルを載置できず、コンロ本体１内に交換用カセットボンベを収納して持ち運ぶことは困難になる。また万一、コンロ本体１内に前記カセットボンベが落下した場合にもカセットボンベの一部がコンロ本体１からはみ出しているので除去が容易で迅速に対応でき、コンロ本体１内にカセットボンベが収納され、又は落下することによって生じるカセットボンベの爆発事故を皆無とすることができる。
また、前記⊃状の金属製棒状体４が、、前記前面及び背面の内側板に固定されているので、前記内側板の取外し用取っ手として使用できる。
【実施例２】
【００１４】
本考案におけるコンロの第２の実施例は、図２に示すように、左右いずれか一方の側面にカセットボンベを装着するガス供給部１０を備え、他の三方（前面、背面ともう一方の側面）は燃焼に必要な空気の流入孔が複数設けられた金属製の外側板に、これも空気流入孔が複数設けられた金属製の内側板が着脱可能に取り付けられて構成され、内部にガス供給部１０からのガスを燃焼させるバーナー３が前面と背面との間の中央部に延伸させて設けられ、かつ前記バーナー３の火口に近接して圧電点火機構の点火プラグ２が備えられたコンロ本体１と、前記コンロ本体１の上に載置して肉や魚介類等の食材を調理するグリル（図示せず）とでなるコンロにおいて、
前記コンロ本体１内の前面及び背面の側板内側に⊃状の金属製棒状体からなる安全ガード５をそれぞれ２個突設して、前面の側板又は背面の側板とバーナー３との間の空間に、交換用カセットボンベを収納不可能にしてなるものである。
本実施例２のコンロにおいて、前面側板又は背面側板とバーナー３との間の空間に交換用のカセットボンベを収納して持ち運ぼうとしても、前記カセットボンベが前記２個の⊃状の安全ガード４、４に跨って載置されら、カセットボンベの一部がコンロ本体１からはみ出してしまうので、コンロ本体１上にグリルを載置できず、コンロ本体１内に交換用カセットボンベを収納して持ち運ぶことは困難になる。また万一、コンロ本体１内に前記カセットボンベが落下した場合にもカセットボンベの一部がコンロ本体１からはみ出すので除去が容易で迅速に対応でき、コンロ本体１内にカセットボンベが収納され、又は落下することによって生じるカセットボンベの爆発事故を皆無とすることができる。
また、前記⊃状の金属製棒状体４が、、前記前面及び背面の内側板に固定されているので、前記内側板の取外し用取っ手として使用できる。
【実施例３】
【００１５】
本考案におけるコンロの第３の実施例は、図３に示すように、左右いずれか一方の側面にカセットボンベを装着するガス供給部１０を備え、他の三方（前面、背面ともう一方の側面）は燃焼に必要な空気の流入孔が複数設けられた金属製の外側板に、これも空気流入孔が複数設けられた金属製の内側板が着脱可能に取り付けられて構成され、内部にガス供給部１０からのガスを燃焼させるバーナー３が前面と背面との間の中央部に延伸させて設けられ、かつ前記バーナー３の火口に近接して圧電点火機構の点火プラグ２が備えられたコンロ本体１と、前記コンロ本体１の上に載置して肉や魚介類等の食材を調理するグリル（図示せず）とでなるコンロにおいて、
コンロ本体１の前面と背面との間の中央部に延伸させて設けられたバーナー３の前後に、該バーナー３に沿ってガス供給部１０の隔離板１３と該の隔離板１３と相対するコンロ本体１の側板との間に架設された金属棒でなる安全ガード５を設けて、前面側板又は背面側板とバーナー３との間の空間に、交換用カセットボンベを収納不可能にしてなるものである。
本実施例３のコンロにおいて、前面側板又は背面の内側板とバーナー３との間の空間に交換用のカセットボンベを収納して持ち運ぼうとしても、前記カセットボンベが前記金属棒の安全ガード５に邪魔されて前記コンロ本体１の底面まで届かず、一部がコンロ本体１からはみ出してしまうので、コンロ本体１の上にグリルを載置できずコンロの持ち運び時における交換用カセットボンベのコンロ本体１内への収納が不可能となり、また万一コンロ本体１内に前記カセットボンベが落下した場合にもカセットボンベがコンロ本体１からはみ出しているので除去が容易で迅速に対応でき、コンロ本体１内にカセットボンベが収納され、又は落下することによって生じるカセットボンベの爆発事故を皆無とすることができる。
なお、本実施例３における金属棒の安全ガード５は、前記ガーナー３の火口より低い位置に取り付けるなどして、ガスの燃焼による加熱から極力回避できるようにしておくことが好ましい。
また、図３においては、前記金属棒の安全ガード５を片側１本として示したが、複数本であってよく、また、金属棒の代わりに金網等カセットボンベがコンロ本体１の底面に達するのを妨げる機構であれば、その使用を妨げるものではない。
【符号の説明】
【００１６】
１：コンロ本体
２：点火プラグ
３：バーナー
４：⊃字状の安全ガード
５：金属棒の安全ガード
１０：ガス供給部
１１：ガス点火・供給量調節つまみ
１２：安全レバー
１３：隔離板
【図１】
0003179260.tif 000003
【図２】
0003179260.tif 000004
【図３】
0003179260.tif 000005
【手続補正書】
【提出日】平成24年8月16日(2012.8.16)
【手続補正１】
【補正対象書類名】実用新案登録請求の範囲
【補正対象項目名】全文
【補正方法】変更
【補正の内容】
【実用新案登録請求の範囲】
【請求項１】
左右いずれか一方の側面にカセットボンベを装着するガス供給部（１０）を備え、他の三方（前面、背面ともう一方の側面）は、燃焼に必要な空気の流入孔が複数設けられた金属製の側板で構成され、内部にガス供給部（１０）からのガスを燃焼させるバーナー（３）が前面と背面との間の中央部に延伸させて設けられ、かつ前記バーナー（３）の火口に近接して圧電点火機構の点火プラグ（２）が備えられたコンロ本体（１）と、前記コンロ本体（１）の上に載置して肉や魚介類等の食材を調理するグリルを備えたコンロにおいて、
コンロ本体（１）内に、その空間に交換用カセットボンベが収納できないようにする安全ガードを備えてなり、前記コンロ本体（１）内の前面又は背面の側板と前記バーナー（３）間の空間に交換用のカセットボンベを収納して持ち運び、前記交換用カセットボンベの収納を失念した状態でバーナーに点火するなどして、前記交換用カセットボンベが爆発する危険を抑止するようにしたことを特徴とするコンロ。
【請求項２】
前記コンロ本体（１）の側板が、燃焼に必要な空気の流入孔が複数設けられた金属製の外側板に、これも空気流入孔が複数設けられた金属製の内側板が着脱可能に取り付けられて構成され、前記安全ガードが前面及び背面の内側板に固定され、前記内側板の取外し用取っ手として兼用されるものであることを特徴とする請求項１に記載のコンロ。
【請求項３】
前記安全ガードが、前面及び背面の側板又は内側板から内側にそれぞれ突設された１又は複数個の⊃状の金属製棒状体（４）であることを特徴とする請求項１又は２に記載のコンロ。
【請求項４】
前記安全ガードが、コンロ本体（１）の前面と背面との間の中央部に延伸されて設けられたバーナー（３）の前後に、該バーナー（３）に沿ってガス供給部（１０）の隔離板（１３）と該隔離板（１３）に相対するコンロ本体（１）の側板との間に架設された金属棒（５）であることを特徴とする請求項１に記載のコンロ。
【請求項５】
前記安全ガードが、前記空間を覆う金属網であることを特徴とする請求項１に記載のコンロ。
【手続補正２】
【補正対象書類名】明細書
【補正対象項目名】０００６
【補正方法】変更
【補正の内容】
【０００６】
本考案のコンロにより、下記の効果が発揮できる。
〈１〉左右いずれか一方の側面にカセットボンベを装着するガス供給部を備え、他の三方（前面、背面ともう一方の側面）は燃焼に必要な空気の流入孔が複数設けられた金属製の外側板に、これも空気流入孔が複数設けられた金属製の内側板が着脱可能に取り付けられて構成され、内部にガス供給部からのガスを燃焼させるバーナーが前面と背面との間の中央部に延伸させて設けられ、かつ前記バーナーの火口に近接して圧電点火機構の点火プラグが備えられたコンロ本体と、前記コンロ本体の上に載置して肉や魚介類等の食材を調理するグリルを備えたコンロにおいて、
コンロ本体内に、その空間に交換用カセットボンベが収納できないようにする安全ガードを備えているので、前記コンロ本体内の前面板又は背面板と前記バーナー間の空間に交換用のカセットボンベを収納して持ち運ぶことができず、したがって、前記交換用カセットボンベの収納を失念したままでバーナーに点火して交換用カセットボンベが爆発するといった危険を皆無にすることができる。